(57)【要約】【課題】玄関並びに玄関からガレージまでの間においてプライバシーを確保することができる玄関構造及びこれを備えた建物を得る。【解決手段】道路側から見て、扉８０から扉８４に亘って目隠し壁部７８が立設されており、当該目隠し壁部７８は、建物１０の一部を構成しかつ玄関土間部７４の建物上方側を覆う玄関屋根部８５と一体に設けられている。このため、玄関ポーチ８２やインナーガレージ２４からの玄関７２への出入りが道路側から直接見られることを抑制することができ。【選択図】図１
2017193919.tif 000002
【特許請求の範囲】
【請求項１】
建物の道路側に配置されて当該建物の玄関の一部を構成し、一方側が第１の扉を介して玄関ポーチに連通されていると共に、当該一方側と反対側の他方側が第２の扉を介してガレージに連通された玄関土間部と、
前記建物の一部を構成しかつ前記玄関土間部の建物上方側を覆う覆い部と一体に設けられていると共に、前記道路側から見て前記第１の扉から前記第２の扉に亘って立設された目隠し壁部と、
を有する玄関構造。
【請求項２】
前記玄関土間部には、当該玄関土間部を前記一方側の第１玄関土間部と前記他方側の第２玄関土間部とに仕切る仕切り部が設けられていると共に、当該第１玄関土間部と当該第２玄関土間部とは前記目隠し壁部側で連通されている、
請求項１記載の玄関構造。
【請求項３】
前記目隠し壁部は、平面視で前記道路側に凸となる円弧状に形成されていると共に、
前記仕切り部の幅方向の長さは、前記第１の扉から前記第２の扉側を見て当該仕切り部で当該第２の扉を隠すことが可能な長さに設定されている、
請求項２に記載の玄関構造。
【請求項４】
前記仕切り部は、平面視で前記一方側又は他方側が開放されたコ字状に構成された仕切り壁部とされている、
請求項２又は請求項３に記載の玄関構造。
【請求項５】
前記仕切り部は、前記玄関土間部の土間面から当該玄関土間部の天井面に亘って設けられた第１仕切り部と、当該第１仕切り部の前記目隠し壁部側に当該第１仕切り部と連続して設けられていると共に建物上下方向の長さが当該第１仕切り部の建物上下方向の長さの半分よりも短い長さに設定されている第２仕切り部と、を含んで構成されている、
請求項２〜請求項４の何れか１項に記載の玄関構造。
【請求項６】
請求項１〜請求項５の何れか１項に記載の玄関構造が適用された玄関と、
前記玄関と隣接した外部吹き抜けと、
前記外部吹き抜けと隣接しかつ平面視で前記玄関及び当該外部吹き抜けと直列に配置されていると共に当該外部吹き抜け側に採光可能な吹き抜け側開口部が設けられた居住部と、
を有する建物。
【請求項７】
前記居住部には、前記吹き抜け側開口部と反対側に採光可能な屋外側開口部が設けられていると共に、
前記吹き抜け側開口部の正面視での面積の方が前記屋外側開口部の正面視での面積よりも大きく設定されている、
請求項６に記載の建物。
【請求項８】
前記玄関は、平屋で構成されている、
請求項６又は請求項７に記載の建物。
【発明の詳細な説明】
【技術分野】
【０００１】
本発明は、玄関構造及びこれを備えた建物に関する。
【背景技術】
【０００２】
下記特許文献１には、半屋内アプローチのある住宅に関する発明が開示されている。この半屋内アプローチのある住宅では、アプローチが玄関側の建物外壁に沿って敷設されていると共に、玄関側のアプローチの一部が建物と一体化された壁及び屋根で覆われている。このため、下記特許文献１に記載された先行技術では、玄関のプライバシーを確保することが可能となっている。
【０００３】
また、下記特許文献２には、円弧状の塀のある住宅に関する発明が開示されている。この円弧状の塀のある住宅では、建物の玄関の道路側に塀が配置されており、この塀は平面視で円弧状とされていると共に、玄関に連絡されているガレージを構成する側壁と連続して設けられている。このため、下記特許文献２に記載された先行技術では、玄関における一定のプライバシーを確保することができると共に、ガレージから玄関への出入りを道路側から直接見えないようにすることが可能となっている。
【先行技術文献】
【特許文献】
【０００４】
【特許文献１】特開２００２−１６７９８４号公報（図１）
【特許文献２】特開２００１−０３２５４２号公報（図１）
【発明の概要】
【発明が解決しようとする課題】
【０００５】
しかしながら、上記特許文献１に記載された先行技術による場合、玄関とガレージとが離れて配置されているため、玄関からガレージまでの間においてプライバシーを確保することが困難となる。
【０００６】
一方、上記特許文献２に記載された先行技術による場合、玄関の道路側に配置されている塀の高さには制限があるため、玄関のプライバシーを確保するという観点においては改善の余地がある。
【０００７】
本発明は上記事実を考慮し、玄関並びに玄関からガレージまでの間においてプライバシーを確保することができる玄関構造及びこれを備えた建物を得ることが目的である。
【課題を解決するための手段】
【０００８】
第１の態様に係る玄関構造は、建物の道路側に配置されて当該建物の玄関の一部を構成し、一方側が第１の扉を介して玄関ポーチに連通されていると共に、当該一方側と反対側の他方側が第２の扉を介してガレージに連通された玄関土間部と、前記建物の一部を構成しかつ前記玄関土間部の建物上方側を覆う覆い部と一体に設けられていると共に、前記道路側から見て前記第１の扉から前記第２の扉に亘って立設された目隠し壁部と、を有している。
【０００９】
第１の態様に係る玄関構造では、建物の玄関の一部を構成する玄関土間部が当該建物の道路側に配置されている。そして、玄関土間部の一方側が第１の扉を介して玄関ポーチに連通されていると共に、当該玄関土間部における当該一方側と反対側の他方側が第２の扉を介してガレージに連通されている。このため、本態様では、玄関ポーチ及びガレージのどちらからでも玄関に入ることが可能となっている。
【００１０】
ところで、玄関ポーチやガレージからの玄関への出入りが道路側から直接見えるような状態は、プライバシーの観点から好ましいものではなく、道路側からの視線を遮るものを設けることが好ましい。例えば、玄関の道路側に塀等を設けることが考えられるが、設けられる塀の高さには制限があり、道路の向かい側に建てられた建物等からの視線を遮ることが困難となることがある。
【００１１】
ここで、本態様では、道路側から見て、第１の扉から第２の扉に亘って目隠し壁部が立設されており、当該目隠し壁部は、建物の一部を構成しかつ玄関土間部の建物上方側を覆う覆い部と一体に設けられている。このため、本態様では、玄関ポーチやガレージからの玄関への出入りが道路側から直接見られることを抑制することができる。
【００１２】
第２の態様に係る玄関構造は、第１の態様に係る玄関構造において、前記玄関土間部には、当該玄関土間部を前記一方側の第１玄関土間部と前記他方側の第２玄関土間部とに仕切る仕切り部が設けられていると共に、当該第１玄関土間部と当該第２玄関土間部とは前記目隠し壁部側で連通されている。
【００１３】
第２の態様に係る玄関構造では、玄関土間部に仕切り部が設けられており、当該仕切り部によって、当該玄関土間部が一方側の第１玄関土間部と他方側の第２玄関土間部とに仕切られている。また、第１玄関土間部と第２玄関土間部とは、目隠し壁部側で連通されており、当該第１玄関土間部と当該第２玄関土間部との間で往来が可能となっている。このため、本態様では、第１玄関土間部をエントランスとして用いると共に、第２玄関土間部をラウンジとして用いる等、第１玄関土間部と第２玄関土間部とを異なる用途に用いることができる。
【００１４】
第３の態様に係る玄関構造は、第２の態様に係る玄関構造において、前記目隠し壁部は、平面視で前記道路側に凸となる円弧状に形成されていると共に、前記仕切り部の幅方向の長さは、前記第１の扉から前記第２の扉側を見て当該仕切り部で当該第２の扉を隠すことが可能な長さに設定されている。
【００１５】
第３の態様に係る玄関構造では、目隠し壁部が平面視で道路側に凸となる円弧状に形成されており、玄関の外観の意匠性を確保しつつ、第１玄関土間部と第２玄関土間部との往来のための通路を広く確保することができる。また、仕切り部の幅方向の長さは、第１の扉から第２の扉側を見て当該仕切り部で当該第２の扉を隠すことが可能な長さに設定されている。これにより、第１の扉側から第２の扉からの出入りが直接見られることを抑制しつつ、第２玄関土間部の開放感を演出することができる。
【００１６】
第４の態様に係る玄関構造は、第２の態様又は第３の態様に係る玄関構造において、前記仕切り部は、平面視で前記一方側又は他方側が開放されたコ字状に構成された仕切り壁部とされている。
【００１７】
第４の態様に係る玄関構造では、仕切り部が平面視で玄関土間部の一方側又は当該玄関土間部の他方側が開放されたコ字状に構成された仕切り壁部とされている。このため、仕切り壁部における玄関土間部の一方側又は当該仕切り部における当該玄関土間部の他方側にスペースを確保し、当該スペースにロッカー等を設けることができる。
【００１８】
第５の態様に係る玄関構造は、第２の態様〜第４の態様の何れか１態様に係る玄関構造において、前記仕切り部は、前記玄関土間部の土間面から当該玄関土間部の天井面に亘って設けられた第１仕切り部と、当該第１仕切り部の前記目隠し壁部側に当該第１仕切り部と連続して設けられていると共に建物上下方向の長さが当該第１仕切り部の建物上下方向の長さの半分よりも短い長さに設定されている第２仕切り部と、を含んで構成されている。
【００１９】
第５の態様に係る玄関構造では、玄関土間部の屋内側が、その土間面からその天井面に亘って第１仕切り部で仕切られている。一方、玄関土間部の目隠し壁部側は、その建物下方側が第２仕切り部で仕切られているものの、その建物上方側は当該玄関土間部の一方側から他方側にかけて連続した空間となっている。
【００２０】
第６の態様に係る建物は、第１の態様〜第５の態様の何れか１態様に係る玄関構造が適用された玄関と、前記玄関と隣接した外部吹き抜けと、前記外部吹き抜けと隣接しかつ平面視で前記玄関及び当該外部吹き抜けと直列に配置されていると共に当該外部吹き抜け側に採光可能な吹き抜け側開口部が設けられた居住部と、を有している。
【００２１】
第６の態様に係る建物では、第１の態様〜第５の態様の何れか１態様に係る玄関構造が適用された玄関を備えており、玄関ポーチやガレージからの玄関への出入りが道路側から直接見られることを抑制することができる。
【００２２】
ところで、建物の玄関に当該建物と一体に目隠し壁部を設けると、プライバシーの確保という観点からは有利であるものの、当該建物の屋内側の採光性の観点においては不利となること考えられる。
【００２３】
ここで、本態様では、玄関と隣接する外部吹き抜けを備えており、居住部が当該外部吹き抜けと隣接しかつ平面視で当該玄関及び当該外部吹き抜けと直列に配置されている。また、居住部の外部吹き抜け側には、採光可能な吹き抜け側開口部が設けられている。このため、外部吹き抜けから吹き抜け側開口部を介して居住部に採光することができる。
【００２４】
第７の態様に係る建物は、第６の態様に係る建物において、前記居住部には、前記吹き抜け側開口部と反対側に採光可能な屋外側開口部が設けられていると共に、前記吹き抜け側開口部の正面視での面積の方が前記屋外側開口部の正面視での面積よりも大きく設定されている。
【００２５】
第７の態様に係る建物では、居住部における吹き抜け側開口部と反対側に屋外側開口部が設けられており、当該屋外側開口部から居住部に採光することができる。また、本態様では、吹き抜け側開口部の正面視での面積の方が、屋外側開口部の正面視での面積よりも大きく設定されている。このため、屋外側から居住部の内側を直接見られることを抑制することができると共に、吹き抜け側開口部から屋外側開口部よりも多くの光を採り入れることができる。
【００２６】
第８の態様に係る建物は、第６の態様又は第７の態様に係る建物において、前記玄関は、平屋で構成されている。
【００２７】
第８の態様に係る建物では、玄関が平屋で構成されているため、玄関の建物上方側から外部吹き抜けに日光等の外光が差し込みやすくなる。
【発明の効果】
【００２８】
以上説明したように、第１の態様に係る玄関構造では、玄関並びに玄関からガレージまでの間においてプライバシーを確保することができるという優れた効果を有する。
【００２９】
第２の態様に係る玄関構造では、玄関を多用途に用いることができるという優れた効果を有する。
【００３０】
第３の態様に係る玄関構造では、玄関の内側のプライバシーを確保しつつ、玄関の内観品質及び外観品質を向上させることができるという優れた効果を有する。
【００３１】
第４の態様に係る玄関構造では、玄関の用途に合わせて収納スペースを確保することができるという優れた効果を有する。
【００３２】
第５の態様に係る玄関構造では、玄関土間部を第１玄関土間部と第２玄関土間部とに仕切っても、当該玄関土間部の開放感を演出することができるという優れた効果を有する。
【００３３】
第６の態様に係る建物では、プライバシーを確保しつつ屋内側への採光を確保することができるという優れた効果を有する。
【００３４】
第７の態様に係る建物では、居住部のプライバシーの確保と居住部への採光の確保との両立を図ることができるという優れた効果を有する。
【００３５】
第８の態様に係る建物では、屋内側への採光をより多く確保することができるという優れた効果を有する。
【図面の簡単な説明】
【００３６】
【図１】本実施形態に係る建物の玄関部分の構成を示す間取り図である。
【図２】本実施形態に係る建物の玄関部分の構成を模式的に示す正面図（図１の２方向矢視図）である。
【図３】本実施形態に係る建物の玄関部分の構成を模式的に示す側面図（図１の３方向矢視図）である。
【図４】本実施形態に係る建物の玄関部分の構成を模式的に示す側面図（図１の４方向矢視図）である。
【図５】本実施形態に係る建物の構成を示す断面図（図８の５−５線に沿って切断した状態を示す断面図）である。
【図６】本実施形態に係る建物の二階部分の構成を示す間取り図である。
【図７】本実施形態に係る建物の一階部分の構成を示す間取り図である。
【図８】本実施形態に係る建物の外観を示す正面図である。
【図９】本実施形態に係る建物の玄関部分の変形例の構成を示す間取り図である。
【図１０】本実施形態に係る建物の玄関部分の変形例の構成を示す斜視図（図９の１０方向矢視図）である。
【発明を実施するための形態】
【００３７】
以下、図１〜図１０を用いて、本発明の実施形態に係る玄関構造が適用された建物の一例について説明する。
【００３８】
まず、本実施形態に係る「建物１０」の全体構造について説明する。図８に示されるように、本実施形態に係る建物１０は、二階建の住宅とされており、基礎１２、一階部分１４、二階部分１６及び屋根部１８を含んで構成されている。
【００３９】
この建物１０は、鉄骨軸組み工法により構築されており、当該建物１０の図示しない躯体は、角筒状の鋼製の柱及びＩ型鋼等で構成された梁を含んで構成されている。また、屋根部１８は、陸屋根とされており、建物１０の屋上には複数の太陽光パネルが配置されている。
【００４０】
建物１０の一階部分１４は、図７に示されるように、その中央部にパティオ（中庭）２０が配置されていると共に、一階側の居住部２２は建物上方側から見て、パティオ２０を囲むように構成されている。また、建物１０の東側の部分には、非居住部である「インナーガレージ（ガレージ）２４」が設けられている。このインナーガレージ２４は、建物１０の前側（南側）を通る図示しない道路に対向して出入り口が設けられていると共に、当該出入り口にはポーチ２６が設けられている。また、建物１０における南側の部分には、同じく非居住部である後述する「玄関７２」が設けられている。つまり、玄関７２は、建物１０の道路側に配置されている。
【００４１】
一階部分１４についてより詳しく説明すると、パティオ２０は、建物上方側から見て、矩形枠状に配置された仕切り壁部２８、３０、３２、３４で仕切られていると共に、その建物上方側が開放された状態となっている。また、南側に配置された仕切り壁部３４を除く仕切り壁部２８、３０、３２は、二階部分１６まで延びており、建物１０の中央部には、「外部吹き抜け３６」が形成された状態となっている。なお、居住部２２からパティオ２０には、北側の仕切り壁部３０に設けられた吹き抜け側開口部としての「ガラス戸３８」を介して出入りすることが可能となっている。
【００４２】
また、図５及び図６にも示されるように、仕切り壁部２８、３０、３２、３４にはそれぞれ窓４０が設けられており、外部吹き抜け３６からガラス戸３８及び窓４０を介して居住部２２に採光することが可能となっている。
【００４３】
一方、居住部２２は、パーティーキッチン４２、居住部としての「ダイニング４４」及びステップダウンリビング４６を含んで構成されており、これらの部屋は仕切り壁部２８、３０、３２、３４に沿って設けられた廊下４８で接続されている。また、パーティーキッチン４２、ダイニング４４及びステップダウンリビング４６には、それぞれを仕切るための仕切り壁等は設けられていないため、これらの部屋は連続した空間と見なすこともできる。なお、パーティーキッチン４２は、パティオ２０の西側に位置しており、ダイニング４４はパティオ２０の北側に位置しており、ステップダウンリビング４６は、パティオ２０の東側に位置している。
【００４４】
また、図５にも示されるように、建物１０の北側、すなわちダイニング４４の屋外側に配置された壁部５０にも、当該壁部５０の建物上方側の部分に屋外側開口部としての「窓５２」が設けられている、つまり、窓５２は、居住部２２におけるガラス戸３８と反対側の位置に配置されており、本実施形態では、建物の北側からも窓５２を介して、居住部２２、特にダイニング４４に採光することが可能となっている。なお、ガラス戸３８の正面視での面積は、窓５２の正面視での面積よりも大きく設定されている。そして、パティオ２０の北側には、一階側の居住部２２と二階側の居住部５４とを繋ぐ階段５６が設けられている。
【００４５】
図６に示されるように、二階側の居住部５４は、スキップフロアリビング５８、洋室６０、６２及び寝室６４を含んで構成されており、これらの部屋は仕切り壁部２８、３０、３２に沿って設けられた廊下６６で接続されている。つまり、廊下６６は、建物上方側から見て、南側が開放されたコ字状に構成されている。
【００４６】
また、二階部分１６には、外部吹き抜け３６の南側にバルコニー６８が設けられており、当該バルコニー６８には、廊下６６の南側の部分に設けられたガラス戸７０から出入りすることが可能となっている。また、上述したように、外部吹き抜け３６を構成する南側に配置された仕切り壁部３４は、二階部分１６には設けられていないため、外部吹き抜け３６の南側は、開放された状態となっており、バルコニー６８から北側を見ると、外部吹き抜け３６を構成する北側に配置された仕切り壁部３０が直接見えるようになっている。
【００４７】
ここで、本実施形態では、建物１０の玄関７２の構成に特徴がある。以下、本実施形態の要部である玄関７２の構成について詳細に説明する。
【００４８】
図１に示されるように、玄関７２は、当該玄関７２の道路側に配置されて当該玄関７２の一部を構成する「玄関土間部７４」と、当該玄関土間部７４を仕切る「仕切り部７６」と、当該玄関７２の道路側に配置された「目隠し壁部７８」とを含んで構成されている。玄関土間部７４は、一方側（東側）が第１の扉としての「扉（開き戸）８０」を介して「玄関ポーチ８２」に連通されていると共に、一方側と反対側の他方側（西側）が第２の扉としての「扉（開き戸）８４」を介してインナーガレージ２４に連通されている。
【００４９】
より詳しくは、玄関ポーチ８２は、その屋内側を構成すると共に東側に面する屋内側壁部８２Ａと、その屋外側を構成しかつ南側に配置された側壁部８２Ｂと、その屋内側を構成しかつ当該側壁部８２Ｂと対向して配置された側壁部８２0Ｃとを含んで構成さている。なお、扉８０は、屋内側側壁部８２Ａに設けられている。
【００５０】
目隠し壁部７８は、図５にも示されるように、建物１０の一部を構成しかつ玄関土間部７４の建物上方側を覆う覆い部としての「玄関屋根部８５」と一体に設けられていると共に、道路側から見て、少なくとも扉８０から扉８４に亘って立設されている。つまり、目隠し壁部７８も建物１０の一部を構成しており、当該目隠し壁部７８は、平面視で（建物上方側から見て）、道路側（南側）に凸となる円弧状に構成されている。また、目隠し壁部７８の玄関ポーチ８２側の部分は、屋内側側壁部８２Ａから屋外側（東側）に所定長さ延出されて、側壁部８２Ｂと一体とされており、道路側から見て、扉８０が目隠し壁部７８で隠れるようになっている。なお、玄関７２は平屋とされており、玄関屋根部８５の屋上には、上述したバルコニー６８が設けられている。
【００５１】
一方、仕切り部７６は、図２〜図４にも示されるように、その屋内側に部分を構成する第１仕切り部としての「仕切り壁部８６」と、その屋外側を構成する第２仕切り部としての「カウンターロッカー８８」とを含んで構成されている。この仕切り部７６は、平面視で南北方向に延びており、当該仕切り部７６によって、玄関土間部７４が、第１玄関土間部としての「エントランス９０」と第２玄関土間部としての「ラウンジ９２」とに仕切られている。また、玄関土間部７４の一方側がエントランス９０とされており、当該玄関土間部７４の他方側がラウンジ９２とされている。なお、ラウンジ９２の屋内側には、西側に下る階段９４が設けられており、扉８４は当該階段９４を下った箇所に配置されている。また、扉８４で開閉される開口部９６は、エントランス９０の北側に配置されており、当該開口部９６は南北方向に開口されている。なお、エントランス９０とラウンジ９２とは、目隠し壁部７８側で連通されている。
【００５２】
仕切り壁部８６は、玄関土間部７４の土間面から当該玄関土間部７４の天井面に亘って設けられており、平面視で、玄関土間部７４の他方側が開放されたコ字状に構成されている。また、仕切り壁部８６の幅方向の長さ（南北方向の長さ）は、扉８０から扉８４側を見て当該仕切り壁部８６で扉８４を隠すことが可能な長さに構成されている。換言すれば、平面視で、扉８０で開閉される開口部９８の南側の周縁部から扉８４で開閉される開口部９６の西側の周縁部に延びる直線Ｌを遮るように仕切り壁部８６が配置されている。
【００５３】
また、仕切り壁部８６の主な部分を構成すると共に板厚方向を東西方向とされた主壁部８６Ａの扉８０側の壁面には、図示しない化粧タイル等が複数枚敷設されており、当該仕切り壁部８６は、アクセント壁として機能している。また、主壁部８６Ａにおけるその幅方向両側の周縁部からそれぞれ扉８４側に延出された一対の延出壁部８６Ｂ、８６Ｃ間は、収納スペースとされており、本実施形態では、一例として、ロッカー１００が配置されている。なお、屋内側の延出壁部８６Ｂは、耐力壁とされると共に、その扉８４側の端部には、建物１０の躯体を構成する図示しない柱が配置されている。
【００５４】
カウンターロッカー８８は、仕切り壁部８６の目隠し壁部７８側（南側）に当該仕切り部７６と連続して設けられており、その上方側に物を載置可能な天板１０２と、扉８０側に設けられた下足入れ１０４と、扉８４側に設けられたロッカー１０６とを含んで構成されている。また、カウンターロッカー８８の建物上下方向の長さ（高さ寸法）は、仕切り壁部８６の建物上下方向の長さの半分よりも半分よりも短い長さに設定されている。なお、天板１０２には、切欠部１０２Ａが設けられており、当該天板１０２は、当該切欠部１０２Ａに仕切り壁部８６が納まった状態で当該仕切り壁部８６に一体的に取り付けられている。
【００５５】
＜本実施形態の作用及び効果＞
次に、本実施形態の作用並びに効果を説明する。
【００５６】
本実施形態では、建物１０の玄関７２の一部を構成する玄関土間部７４が当該建物１０の道路側に配置されている。そして、玄関土間部７４の一方側が扉８０を介して玄関ポーチ８２に連通されていると共に、当該玄関土間部７４における当該一方側と反対側の他方側が扉８４を介してインナーガレージ２４に連通されている。このため、本実施形態では、玄関ポーチ８２及びインナーガレージ２４のどちらからでも玄関に入ることが可能となっている。
【００５７】
ところで、玄関ポーチ８２やインナーガレージ２４からの玄関７２への出入りが道路側から直接見えるような状態は、プライバシーの観点から好ましいものではなく、道路側からの視線を遮るものを設けることが好ましい。例えば、玄関７２の道路側に塀等を設けることが考えられるが、設けられる塀の高さには制限があり、道路の向かい側に建てられた建物等からの視線を遮ることが困難となることがある。
【００５８】
ここで、本実施形態では、道路側から見て、扉８０から扉８４に亘って目隠し壁部７８が立設されており、当該目隠し壁部７８は、建物１０の一部を構成しかつ玄関土間部７４の建物上方側を覆う玄関屋根部８５と一体に設けられている。このため、本実施形態では、玄関ポーチ８２やインナーガレージ２４からの玄関７２への出入りが道路側から直接見られることを抑制することができ、その結果、玄関７２並びに玄関７２からインナーガレージ２４までの間においてプライバシーを確保することができる。
【００５９】
また、本実施形態では、玄関土間部７４に仕切り部が設けられており、当該仕切り部７６によって、当該玄関土間部７４が一方側と他方側に仕切られている。また、玄関土間部７４の仕切られた一方側と他方側とは、目隠し壁部７８側で連通されており、当該一方側と当該他方側との間で往来が可能となっている。このため、玄関土間部７４の一方側をエントランスとして用いると共に、他方側をラウンジ９２として用いることができ、換言すれば、玄関土間部７４を異なる用途に用いることができる。したがって、本実施形態では、玄関７２を多用途に用いることができる。
【００６０】
また、本実施形態では、目隠し壁部７８が平面視で道路側に凸となる円弧状に形成されており、玄関７２の外観の意匠性を確保しつつ、エントランス９０とラウンジ９２との往来のための通路を広く確保することができる。また、仕切り壁部８６の幅方向の長さは、扉８０から扉８４側を見て当該仕切り壁部８６で当該扉８４を隠すことが可能な長さに設定されている。これにより、扉８０側から扉８４からの出入りが直接見られることを抑制しつつ、ラウンジ９２の開放感を演出することができる。したがって、本実施形態では、玄関７２の内側のプライバシーを確保しつつ、玄関７２の内観品質及び外観品質を向上させることができる。
【００６１】
また、本実施形態では、仕切り部７６が、平面視で玄関土間部７４の他方側が開放されたコ字状に構成された仕切り壁部８６を含んで構成されている。このため、仕切り壁部８６における玄関土間部７４の他方側にスペースを確保し、当該スペースにロッカー１００等を設けることができる。したがって、本実施形態では、玄関７２の用途に合わせて収納スペースを確保することができる。
【００６２】
また、本実施形態では、玄関土間部７４の屋内側が、その土間面からその天井面に亘って仕切り壁部８６で仕切られている。一方、玄関土間部７４の目隠し壁部側は、その建物下方側がカウンターロッカー８８で仕切られているものの、その建物上方側は当該玄関土間部７４の一方側から他方側にかけて連続した空間となっている。このため、本実施形態では、玄関土間部７４をエントランス９０とラウンジ９２とに仕切っても、当該玄関土間部７４の開放感を演出することができる。
【００６３】
ところで、上述したように、建物１０の玄関７２に当該建物１０と一体に目隠し壁部７８を設けると、プライバシーの確保という観点からは有利であるものの、当該建物１０の屋内側の採光性の観点においては不利となること考えられる。
【００６４】
ここで、本実施形態では、玄関７２と隣接する外部吹き抜け３６を備えており、居住部２２、５４に採光することができる。具体例を挙げると、居住部２２の一部を構成するダイニング４４は、外部吹き抜け３６と隣接しかつ平面視で玄関７２及び当該外部吹き抜け３６と直列に配置されている。また、ダイニング４４の外部吹き抜け３６側には、採光可能なガラス戸３８が設けられている。このため、外部吹き抜け３６からガラス戸３８を介してダイニング４４に採光することができる。したがって、本実施形態では、プライバシーを確保しつつ屋内側への採光を確保することができる。
【００６５】
また、本実施形態では、ダイニング４４におけるガラス戸３８と反対側に窓５２が設けられており、当該窓５２からダイニング４４に採光することができる。さらに、本実施形態では、ガラス戸３８の正面視での面積の方が、窓５２の正面視での面積よりも大きく設定されている。このため、屋外側からダイニング４４の内側を直接見られることを抑制することができると共に、ガラス戸３８から窓５２よりも多くの光を採り入れることができる。したがって、本実施形態では、ダイニング４４のプライバシーの確保とダイニング４４への採光の確保との両立を図ることができる。
【００６６】
加えて、本実施形態では、玄関７２が平屋で構成されているため、玄関７２の建物上方側から外部吹き抜け３６に日光等の外光が差し込みやすくなる。その結果、本実施形態では、屋内側への採光をより多く確保することができる。
【００６７】
＜変形例＞
次に、図９及び１０を用いて本実施形態の変形例について説明する。この変形例では、玄関７２の道路側にスロープ１０８が、玄関土間部７４にスロープ１１０がそれぞれ配置されている。具体的には、スロープ１０８は目隠し壁部７８に沿って設けられており、玄関ポーチ８２と接続されている。また、スロープ１１０は、仕切り部としての「仕切り壁部１１４」に沿って設けられており、居住部２２と接続されている。また、玄関土間部７４には、仕切り壁部１１４における当該玄関土間部７４の他方側でかつ目隠し壁部７８側に車椅子移乗スペース１１２が設けられている。
【００６８】
仕切り壁部１１４は、基本的には、主壁部１１４Ａ、延出壁部１１４Ｂ、１１４Ｃを含んで、上述した仕切り壁部８６と同様の構成とされているものの、その幅方向の長さが仕切り壁部８６の幅方向の長さよりも長く設定されている。なお、本変形例では、カウンターロッカー８８は設けられていない。
【００６９】
また、延出壁部１１４Ｂ、１１４Ｃは、扉８０側に延出されており、仕切り壁部１１４は、玄関土間部７４の一方側が開放されたコ字状に構成されている。また、主壁部１１４Ａの扉８４側の壁面には、図示しない手摺等が設けられていると共に、当該主壁部１１４Ａの扉８０側の壁面には、建物上下方向を長手方向とされた矩形板状の化粧パネル１１６が、複数枚仕切り壁部１１４の幅方向に沿って敷設されている。つまり、本変形例においても、仕切り壁部１１４はアクセント壁として機能している。このような構成によれば、車椅子を使用する居住者に対する利便性の向上と玄関７２の意匠性の向上との両立を図ることができる。
【００７０】
＜上記実施形態の補足説明＞
（１）  上述した実施形態では、扉８４がインナーガレージ２４と連通されていたが、扉８４が屋外のガレージと連通されている構成としてもよい。
【００７１】
（２）  また、上述した実施形態では、仕切り部７６が仕切り壁部８６とカウンターロッカー８８とで構成されていたが、これに限らない。一例として、仕切り壁部８６と当該仕切り壁部８６よりも建物上下方向の長さが短い仕切り壁部とで仕切り部７６を構成してもよい。また、種々のプランに応じて仕切り部７６を設けない構成としてもよい。
【００７２】
（３）  さらに、上述した実施形態では、目隠し壁部７８が平面視で円弧状に構成されていたが、直線状に構成されていてもよい。また、目隠し壁部７８を直線状に構成する場合には、建物１０を鉄骨軸組み工法だけでなく、ユニット工法で構築することも可能である。
【００７３】
（４）  加えて、上述した実施形態では、外部吹き抜け３６が設けられていたが、図５に示される仮想線Ｋに沿って、建物１０の屋根部や壁部を設けて建物１０の内側に吹き抜けを設ける構成としてもよい。
【符号の説明】
【００７４】
１０      建物
２４      インナーガレージ（ガレージ）
３６      外部吹き抜け
３８      ガラス戸（吹き抜け側開口部）
４４      ダイニング（居住部）
５２      窓（屋外側開口部）
７２      玄関
７４      玄関土間部
７６      仕切り部
７８      目隠し壁部
８０      扉（第１の扉）
８２      玄関ポーチ
８４      扉（第２の扉）
８５      玄関屋根部（覆い部）
８６      仕切り壁部（第１仕切り部）
８８      カウンターロッカー（第２仕切り部）
９０      エントランス（第１玄関土間部）
９２      ラウンジ（第２玄関土間部）
１１４    仕切り壁部（仕切り部）
【図１】
2017193919.tif 000003
【図２】
2017193919.tif 000004
【図３】
2017193919.tif 000005
【図４】
2017193919.tif 000006
【図５】
2017193919.tif 000007
【図６】
2017193919.tif 000008
【図７】
2017193919.tif 000009
【図８】
2017193919.tif 000010
【図９】
2017193919.tif 000011
【図１０】
2017193919.tif 000012